(57)【特許請求の範囲】
【請求項１】
食器洗浄機を設置するキャビネットの天板の所定位置に食器洗浄機用の取付金具をねじ止めするのに使用する食器洗浄機用取付金具の位置決め用型紙において、
型紙本体は、キャビネットの天板に載置自在な透明の樹脂シートで構成され、樹脂シートの上面に、取付金具の外縁を当接させて取付金具を位置決めする突条が形成され、取付金具とキャビネットの天板との間に樹脂シートを挟んだ状態で取付金具と共に樹脂シートをキャビネットの天板にねじ止め自在とすることを特徴とする食器洗浄機用取付金具の位置決め用型紙。
【請求項２】
前記樹脂シートには、前記突条で位置決めされた時の前記取付金具の位置に合わせて、取付金具の形状が取付金具に形成する複数の取付孔を含めて印刷されていることを特徴とする請求項１記載の食器洗浄機用取付金具の位置決め用型紙。
【発明の詳細な説明】
【技術分野】
【０００１】
本発明は、食器洗浄機を設置するキャビネットの天板の所定位置に食器洗浄機用の取付金具をねじ止めするのに使用する食器洗浄機用取付金具の位置決め用型紙に関する。
【背景技術】
【０００２】
食器洗浄機をキャビネットの天板上に設置する場合、天板に予め食器洗浄機用の取付金具をねじ止めし、食器洗浄機をこの取付金具に固定したり係合することで食器洗浄機が動かないようにしている。
【０００３】
ここで、取付金具はキャビネットの天板の所定位置にねじ止めする必要がある。そこで、従来、位置決め用の型紙を用いて取付金具を天板上で位置決めすることが知られている（例えば、特許文献１参照）。この型紙には、取付金具が嵌る切欠きが形成されており、キャビネットの天板に型紙を載置した状態で切欠きに嵌るように取付金具を天板に載置することにより、取付金具が所定位置に位置決めされる。
【０００４】
然し、上記従来の型紙は、取付金具のねじ止め後に取り外して廃棄されるものであり、資源の無駄となっている。
【先行技術文献】
【特許文献】
【０００５】
【特許文献１】特開２００７−９７７１２号公報
【発明の概要】
【発明が解決しようとする課題】
【０００６】
本発明は、以上の点に鑑み、食器洗浄機用取付金具の位置決め用型紙であって、取付金具のねじ止め後も有効活用できるようにしたものを提供することをその課題としている。
【課題を解決するための手段】
【０００７】
上記課題を解決するために、本発明は、食器洗浄機を設置するキャビネットの天板の所定位置に食器洗浄機用の取付金具をねじ止めするのに使用する食器洗浄機用取付金具の位置決め用型紙において、型紙本体は、キャビネットの天板に載置自在な透明の樹脂シートで構成され、樹脂シートの上面に、取付金具の外縁を当接させて取付金具を位置決めする突条が形成され、取付金具とキャビネットの天板との間に樹脂シートを挟んだ状態で取付金具と共に樹脂シートをキャビネットの天板にねじ止め自在とすることを特徴とする。
【０００８】
本発明によれば、キャビネットの天板に樹脂シートを載置した状態で、樹脂シートの上に、取付金具をその外縁が樹脂シートに形成した突条に当接するように載置することにより、取付金具を所定位置に位置決めできる。その後、取付金具と共に樹脂シートを天板にねじ止めするが、これによれば、食器洗浄機を天板に設置する際に、食器洗浄機の底面の支脚が樹脂シートに着座して滑りやすくなり、設置作業が容易になる。また、使用中に食器洗浄機から水漏れすることがあるが、漏れた水で天板が濡れることを樹脂シートで防止できる。このように、取付金具のねじ止め後も樹脂シートから成る型紙を有効活用でき、合理的である。
【０００９】
ところで、キャビネットの天板には節目等のねじ止めには不適な箇所があり、取付金具に形成した複数の取付孔のうちねじ止め不適箇所から離れた取付孔を選択し、この取付孔を通して固定ねじを天板にねじ込むことが必要になる。ここで、上記従来例の型紙は、取付金具の位置決めのための切欠きを有するため、天板の取付金具設置部分の状態を切欠きを通して目視できる。一方、本発明の如く切欠きを有しない型紙では、天板の状態を切欠きを通して目視できなくなる。然し、本発明では、樹脂シートが透明であるため、樹脂シートを通して天板の状態を目視できる。従って、ねじ止め不適箇所を目視確認してそこから離れた取付孔を選択できるようになり、固定ねじをねじ止め不適箇所にねじ込んでしまうことを回避できる。
【００１０】
また、本発明においては、樹脂シートに、突条で位置決めされた時の取付金具の位置に合わせて、取付金具の形状を取付金具に形成する複数の取付孔を含めて印刷しておくことが望ましい。これによれば、取付金具を樹脂シートに載置する前に天板の状態を各取付孔の位置に関連付けて目視確認することができ、取付孔の選択が容易になる。
【図面の簡単な説明】
【００１１】
【図１】本発明の実施形態の型紙の使用方法を説明する斜視図。
【図２】食器洗浄機用取付金具の一つである移動防止金具を示す斜視図。
【図３】食器洗浄機用取付金具の他の一つである転倒防止金具を示す斜視図。
【図４】本発明の実施形態の型紙の取付金具を設置した状態の平面図。
【図５】図４のＶ−Ｖで切断した取付金具をねじ止めした状態の断面図。
【図６】図４のＶＩ−ＶＩ線で切断した取付金具をねじ止めした状態の断面図。
【発明を実施するための形態】
【００１２】
図１を参照して、１は食器洗浄機、２は食器洗浄機１を設置するキャビネットを示している。キャビネット２の天板２ａの前部と後部には、食器洗浄機用取付金具として夫々移動防止金具３と転倒防止金具４とがねじ止めされる。
【００１３】
移動防止金具３は、図２に明示する如く、横方向に長手であって、左右夫々に複数の取付孔３ａを有し、固定ねじ５を左右夫々で選択した１つの取付孔３ａを通して天板２ａにねじ込むことにより移動防止金具３を固定している。また、移動防止金具３の前縁の左右両端部には、後方に折り返されたフック部３ｂが形成されている。そして、フック部３ｂに係合する図示省略した小金具を食器洗浄機１の前面下端部にボルト止めし、食器洗浄機１が前方に移動することを防止できるようにしている。
【００１４】
転倒防止金具４は、図３に明示する如く、略矩形であって、左右２列の複数の取付孔４ａを有し、固定ねじ５を左右各列で選択した１つの取付孔４ａを通して天板２ａにねじ込むことにより転倒防止金具４を固定している。また、転倒防止金具４の左右各側の後部には、上方に立ちがって側方に張り出す耳片部４ｂが形成され、この耳片部４ｃから前方に舌片状に突出するフック部４ｃが設けられている。そして、食器洗浄機１の底面の図示省略した爪部を前方からフック部４ｃの下面に係合させ、食器洗浄機１内の洗浄槽を前方に引き出したときに食器洗浄機１が前下がりに倒れることを防止できるようにしている。
【００１５】
図１、図４を参照して、１０は本発明の実施形態の位置決め用型紙を示している。この型紙１０の本体は、ＰＥＴや塩化ビニール等の透明の樹脂シート１１で構成されている。樹脂シート１１は、平面視方形であって、キャビネット２の天板２ａに載置自在である。
【００１６】
樹脂シート１１の周縁には立上り部１２が形成されている。尚、樹脂シート１１の前縁に形成する立上り部１２ａの高さは、樹脂シート１１の左右両側の側縁や後縁に形成する立上り部１２よりも低くなっている。
【００１７】
また、樹脂シート１１の上面には、移動防止金具３を位置決めする前部の第１突条１３と、転倒防止金具４を位置決めする後部の第２突条１４とが形成されている。これら第１と第２の各突条１３，１４は、図５、図６に示す如く、上方に凸の絞り形状に形成されているが、中実のリブ形状に形成してもよい。
【００１８】
第１突条１３は、横長の突条部分１３ａと、その左右両端から前方に屈曲する突条部分１３ｂ，１３ｂとを有している。ここで、移動防止金具３の後縁には、左右一対の凹欠部３ｃ，３ｃが形成されており、突条部分１３ｂ，１３ｂ間の距離は凹欠部３ｃ，３ｃ間の距離に等しくしている。そして、移動防止金具３の各凹欠部３ｃの横方向内方の縁部を各突条部分１３ｂに係合させた状態で、移動防止金具３の凹欠部３ｃ，３ｃ間の後縁部分を前方から突条部分１３ａに当接させることにより、移動防止金具３が前後方向及び左右方向に位置決めされるようにしている。
【００１９】
第２突条１４は、横方向にのびる前側の突条部分１４ａと、その左右両端から後方に屈曲する突条部分１４ｂ，１４ｂとを有している。突条部分１４ｂ，１４ｂ間の距離は転倒防止金具４の左右の側縁間の距離に等しくしている。そして、転倒防止金具４の左右の各側縁を各突条部分１４ｂに係合させた状態で、転倒防止金具４の前縁を後方から突条部分１４ａに当接させることにより、転倒防止金具４が前後方向及び左右方向に位置決めされるようにしている。
【００２０】
また、図示省略したが、樹脂シート１１には、食器洗浄機用取付金具（移動防止金具３及び転倒防止金具４）の取付け時の施工方法を印刷しておくことが望ましく、更には、第１と第２の各突条１３，１４で位置決めされた時の移動防止金具３及び転倒防止金具４の位置に合わせて、これら金具３，４の形状を各金具３，４に形成した複数の取付孔３ａ，４ａを含めて印刷しておくことが望ましい。
【００２１】
食器洗浄機用取付金具の取付けに際しては、先ず、樹脂シート１１をキャビネット２の天板２ａに載置する。この際、樹脂シート１１の前縁が天板２ａの前縁に一致するように位置合わせし、この状態で樹脂シート１１を両面接着テープにより天板２ａに仮止めする。
【００２２】
次に、移動防止金具３と転倒防止金具４を第１と第２の各突条１３，１４により上記の如く位置決めした状態で樹脂シート１１に載置する。その後、移動防止金具３及び転倒防止金具４とキャビネット２の天板２ａとの間に樹脂シート１１を挟んだまま、移動防止金具３及び転倒防止金具４と共に樹脂シート１１を天板２ａにねじ止めする。即ち、図５、図６に示す如く、移動防止金具３及び転倒防止金具４の取付孔３ａ，４ａに上方から挿入する固定ねじ５を樹脂シート１１に突き通した状態で天板２ａにねじ込む。
【００２３】
ところで、天板２ａには節目等のねじ止めには不適な箇所があり、移動防止金具３及び転倒防止金具４に形成した複数の取付孔３ａ，４ａのうちねじ止め不適箇所から離れた取付孔３ａ，４ａを選択し、この取付孔３ａ，４ａを通して固定ねじ５を天板２ａにねじ込むことが必要になる。ここで、本実施形態では、樹脂シート１１が透明であるため、樹脂シート１１を通して天板２ａの状態を目視できる。従って、ねじ止め不適箇所を目視確認してそこから離れた取付孔３ａ，４ａを選択できるようになり、固定ねじ５をねじ止め不適箇所にねじ込んでしまうことを回避できる。特に、樹脂シート１１に上記の如く各金具３，４の形状を取付孔３ａ，４ａを含めて印刷しておけば、各金具３，４を樹脂シート１１に載置する前に天板２ａの状態を各取付孔３ａ，４ａの位置に関連付けて目視確認することができ、取付孔３ａ，４ａの選択が容易になる。
【００２４】
以上の如く移動防止金具３及び転倒防止金具４をねじ止めした後、天板２ａ上に食器洗浄機１を設置する。この設置作業に際しては、食器洗浄機１の底面後部の支脚を天板２ａ上で後方にずらしながら、食器洗浄機１の底面に設けた爪部を前方から転倒防止金具４のフック部４ｃの下面に係合させる。ここで、本実施形態では、天板２ａが移動防止金具３及び転倒防止金具４と共にねじ止めされる樹脂シート１１で覆われるため、支脚は樹脂シート１１に着座して滑りやすくなり、設置作業が容易になる。次に、食器洗浄機１の底面前部の支脚を樹脂シート１１の前部に着座させた状態で、移動防止金具３のフック部３ｂに小金具を係合させ、食器洗浄機１の前面下端部に小金具をボルト止めする。
【００２５】
尚、樹脂シート１１の前縁の立上り部１２ａの高さを低くするのは、食器洗浄機１を高く持ち上げなくても、支脚が立上り部１２ａを乗り越えるようにするためである。また、支脚が立上り部１２ａに干渉しても、立上り部１２ａは、一旦後方に倒れ、支脚が通過した後に弾性復元力で起立する。
【００２６】
以上の如く食器洗浄機１を天板２ａ上に設置した後、食器洗浄機１を使用するが、使用中に食器洗浄機１から水漏れすることがある。そして、漏れた水で天板２ａが濡れると、天板２ａが痛み耐久性が低下する。然し、本実施形態では、天板２ａが樹脂シート１１で覆われるため、漏れた水で天板２ａが濡れることを防止できる。このように、移動防止金具３及び転倒防止金具４から成る取付金具のねじ止め後も樹脂シート１１から成る型紙を有効活用でき、合理的である。
【符号の説明】
【００２７】
１…食器洗浄機、２…キャビネット、２ａ…天板、３…移動防止金具（取付金具）、４…転倒防止金具（取付金具）、１０…位置決め用型紙、１１…樹脂シート、１３，１４…突条。
【図１】
0005405520.tif 000002
【図２】
0005405520.tif 000003
【図３】
0005405520.tif 000004
【図４】
0005405520.tif 000005
【図５】
0005405520.tif 000006
【図６】
0005405520.tif 000007